(57)【要約】【課題】開口部を閉鎖し、閉鎖後は風圧などによって容易に開かないようにラッチされ、固定されるようにする。【解決手段】防火戸や扉などの開閉体装置は、開口部側面の戸袋などから脱出し回転移動して、まぐさ上部の戸当たりに当たって停止すると共に可動式の支持手段などの可動部材に接することによってその開口部の一部を遮蔽する。開閉体装置の上端部及び下端部の少なくとも一方にラッチが設けられており、このラッチが天上部又は床部のラッチ受けに係り止めして固定するようになっている。【選択図】      図７
2004293094.tif 000002
【特許請求の範囲】
【請求項１】
開口部の側端部付近から回転移動して前記開口部上端の戸当たり部に接触停止することによって前記開口部の一部分を仕切り、上端部及び下端部の少なくとも一方に設けられたラッチを介して固定されるように構成されたことを特徴とする開閉体装置。
【請求項２】
開口部の上端部から繰り出されることによってその一部分を仕切る第１の遮蔽手段と、
前記開口部の上端部から繰り出され、繰り出し終了後は前記第１の遮蔽手段の揺動を抑制する支持手段と、
前記繰り出し動作に連動して前記開口部の側端部付近から移動して来て前記開口部上端の戸当たり部に接触停止することによって前記支持手段に接するようにして前記開口部の残りの部分を仕切り、上端部及び下端部の少なくとも一方に設けられたラッチを介して固定される第２の遮蔽手段と
を備えたことを特徴とする開閉体装置。
【発明の詳細な説明】
【０００１】
【発明の属する技術分野】
本発明は、ビル、工場などの建物の出入口や大きな部屋、通路、ホール空間あるいは地下街などの構造物などの開口部を仕切る防火戸や開閉扉などの開閉体装置に係り、特に可動式の中柱に隣接した防火戸や観音開きの開閉扉のように可動する部材と接して開口部を閉鎖する開閉体装置に関する。
【０００２】
【従来の技術】
一般に、床面積の大きいビル等の建物内部の通路やホール空間などには、火災発生時の延焼や煙の拡散を防止するために火災発生と同時に自動的に閉じるシート状又はスラット状の防火防煙シャッターカーテンなどの遮蔽手段を用いて、柱、壁、床などと共に３次元的に囲まれた空間、すなわち防火区画や防煙区画を形成するように動作する開閉体装置が備え付けられている。また、単に防火戸などの開閉部材で開口部を閉鎖するようにしたものもある。
【０００３】
最近では、ガイドレールを回転移動式にすることによって、天井部等に開閉部材であるシャッターカーテンと共にガイドレールを収納し、通常はガイドレールが開口部には存在しないような状態としておき、シャッターカーテンの閉鎖動作に応じてガイドレールも繰り出されて着床されるように構成された開閉体装置が提案されている。このようなガイドレールを回転移動式にした開閉体装置として、例えば、特開平１０−１０２９４７号公報、特開平１１−２２３４３号公報などに記載されたものがある。また、本願の出願人が先に出願した特願２００２−２０８１７６号に記載されたものがある。
【特許文献１】
特開平１０−１０２９４７号公報
【特許文献２】
特開平１１−２２３４３号公報
【０００４】
【発明が解決しようとする課題】
上述のようなガイドレールを回転移動式にした開閉体装置は、通常はガイドレールを天井部等に収納しており、開口部にガイドレールが存在しないようになっているため、ガイドレールによって通行が邪魔されたり、床面積が狭められたりといったことがないので、幅広い開口部に設置される開閉体装置としては好ましいものである。このような開閉体装置を防火防煙設備として使用する場合、避難用の防火戸を開口部側面とガイドレールとの間に設ける必要がある。この防火戸には、建物の構造に応じた常時閉鎖式と常時開放式とがあるが、回転移動式の開閉体装置の中柱に接して防火戸を設ける場合には、通常は開口部側面の柱などの戸袋に収納され、スラットカーテンの閉動作やガイドレールの繰り出し動作に連動して閉鎖されるように構成された常時開放式の防火戸を設ける必要がある。また、このような防火戸は、閉鎖後に風圧などによって開かないように防火戸の側面に設けられたラッチが中柱のラッチ受けに係り止まって固定されるようになっているものがある。
【０００５】
ところが、回転移動式の中柱は、天井部から繰り出されて床面と接することによって、前後左右に揺動しないように機能するものなので、床面と接する前に風圧などの影響で床面との設置箇所が多少ずれてしまい、防火戸との間に多少のずれが発生し、防火戸のラッチが中柱のラッチ受けに係り止まり難くなって、防火戸が中柱に固定されなくなるというおそれがある。また、観音開きの開閉扉の場合、互いの扉の対向する面にラッチ及びラッチ受けが設けられているが、風圧などを受けると互いの扉が開こうとしてラッチ及びラッチ受けが移動するために、ラッチがラッチ受けから外れてしまうおそれがある。
【０００６】
本発明の目的は、開口部を閉鎖し、閉鎖後は風圧などによって容易に開かないようにラッチされ、固定される開閉体装置を提供することにある。
【０００７】
【課題を解決するための手段】
請求項１に係る開閉体装置は、開口部の側端部付近から回転移動して前記開口部上端の戸当たり部に接触停止することによって前記開口部の一部分を仕切り、上端部及び下端部の少なくとも一方に設けられたラッチを介して固定されるように構成されたものである。開閉体装置は、ビル、住宅、工場、倉庫等の建物などの構造物における、出入口や窓部、あるいは内部の通路や空間などの開口部などの一部分を遮蔽する防火戸や扉などである。従って、開閉体装置は、シャッターカーテンの閉鎖動作に応じて繰り出されて着床される可動式の中柱に接することによってその開口部の一部を遮蔽したり、開閉体装置自体が観音開きの開閉扉の場合は、互いの扉が開口部の半分をそれぞれ遮蔽することによって開口部全体を遮蔽するものである。このような開閉体装置は、可動する部材と接することによって開口部を閉鎖する。そこで、この発明では、開閉体装置の上端部及び下端部の少なくとも一方にラッチを設け、このラッチを天上部又は床部のラッチ受けに係り止めさせて開閉体装置を固定するようにした。これによって、開閉体装置が可動する部材と接して開口部を閉鎖した後であっても風圧などで容易に開いてしまうのを防止できる。
【０００８】
請求項２に係る開閉体装置は、開口部の上端部から繰り出されることによってその一部分を仕切る第１の遮蔽手段と、前記開口部の上端部から繰り出され、繰り出し終了後は前記第１の遮蔽手段の揺動を抑制する支持手段と、前記繰り出し動作に連動して前記開口部の側端部付近から移動して来て前記開口部上端の戸当たり部に接触停止することによって前記支持手段に接するようにして前記開口部の残りの部分を仕切り、上端部及び下端部の少なくとも一方に設けられたラッチを介して固定される第２の遮蔽手段とを備えたものである。第１及び第２の遮蔽手段は、ビル、住宅、工場、倉庫等の建物などの構造物における、出入口や窓部、あるいは内部の通路や空間などの開口部などを遮蔽するシャッターカーテンや防火戸などの遮蔽部材で構成され、火災発生時や閉店時などのように開口部を仕切るために繰り出される。第１の遮蔽手段は、防火シャッターカーテンなどで構成され、通常は建物上部に設けられ、まぐさなどを介して下降してくる。第２の遮蔽手段は、防火戸などで構成され、戸袋などから回転移動して繰り出されたりする。このように第１及び第２の遮蔽手段が繰り出されることによって、開口部は閉鎖され、内部空間は仕切られる。開口部が大きい場合には、一つの遮蔽手段でその開口部を遮蔽することが困難な場合が多いので、複数の遮蔽手段を連結または併設することによって大きな開口部を遮蔽する。このとき、第１の遮蔽手段と第１又は第２の遮蔽手段との間には、その開口部を区切ってそれぞれの遮蔽手段の揺動を抑制する支持手段が設けられる。支持手段は、例えば開口部上方である天井部などに収納してあり、第１の遮蔽手段の繰り出し動作に連動して繰り出され、その開口部を区切り、繰り出し終了後はこの第１の遮蔽手段を前後両面から挟むようにして着床し、第１の遮蔽手段の前後左右への揺動を抑制する働きをする。この支持手段は１本の支持部材で構成される場合もあれば、２本以上の支持部材が折り畳まれて構成される場合などがある。そして、第１の遮蔽手段が繰り出されると、それに連動して第１の遮蔽手段と干渉することなく第１の遮蔽手段を通過させるように支持手段も繰り出され、繰り出し動作が終了すると、支持手段は床面と接触し、前後左右に揺動しないような中柱として機能するようになっている。一方、第２の遮蔽手段は、第１の遮蔽手段及び／又は支持手段の繰り出し動作に連動して、開口部側面の戸袋などから脱出し回転移動して、まぐさ上部の戸当たりに当たって停止すると共に可動式の支持手段に接することによってその開口部の一部を遮蔽するものである。そこで、この発明では、第２の遮蔽手段の上端部及び下端部の少なくとも一方にラッチを設け、このラッチを天上部又は床部のラッチ受けに係り止めさせて第２の遮蔽手段を固定するようにした。これによって、第２の遮蔽手段が可動式の支持手段と接して開口部を遮蔽した後は風圧などで容易に開いてしまうのを防止できる。
【０００９】
【発明の実施の形態】
以下添付図面に従って本発明に係る開閉体装置の一実施の形態である防火シャッターカーテン装置について説明する。図１は本発明に係る防火シャッターカーテン装置の概略を示す図であり、遮蔽手段としてのシャッターカーテンの閉動作途中の状態を示す正面図であり、図２はそのシャッターカーテンの全閉状態を示す正面図である。図３は、図１のシャッター装置の天井等に収納された状態の一部分を左側から見た側面図である。このシャッター装置は、ガイド手段であるガイドレールがほぼ中央付近で折れ曲がって、両側面が互いに密着あるいは略密着するような、いわゆる折り畳まれた状態で天井等の開口部上部に収納され、シャッターカーテンを構成する多数の短冊状のスラット材からなるスラットカーテンの下降動作に連動して、図１に示すような点線のような態様で順次下降して繰り出され、最終的には図２に示すようなガイドレールを構成するものである。
【００１０】
この防火シャッターカーテン装置は、従来のものと同様に建物上方の梁２４の側面に並べられて設けられている。一つの防火シャッターカーテン装置は、ブラケット１１Ａ，１２Ａ、巻取シャフト１３Ａ、シャッターカーテンを構成するスラットカーテン１４Ａ及び可動式のガイドレール１５Ａ，１６Ａ，１７Ａ，１８Ａから構成される。もう一つの防火シャッターカーテン装置は、ブラケット１１Ｂ，１２Ｂ、巻取シャフト１３Ｂ、スラットカーテン１４Ｂ及び可動式のガイドレール１５Ｂ，１６Ｂ、固定式のガイドレール１７Ｂから構成される。また、防火シャッターカーテン自体に、避難等のために通過可能な扉やスリットが設けられている場合もある。なお、防火シャッターカーテン装置はこれ以外にも感知器等からの火災発生信号を受けてスラットカーテン１４Ａ，１４Ｂを自重にて閉鎖させるための自動閉鎖装置などを有する場合があるがここでは省略してある。ここで、ガイドレール１７Ｂは、スラットカーテン１４Ｂの移動をガイドするレールとして機能するが、ガイドレール１５Ａ，１６Ａ，１７Ａ，１８Ａは、スラットカーテン１４Ａ，１４Ｂの移動をガイドするというよりも、スラットカーテン１４Ａ，１４Ｂの移動に連動して繰り出され、繰り出された後はスラットカーテン１４Ａ，１４Ｂの揺動を抑制して支持する働きをするものであり、通常の固定式ガイドレールとしての機能すべてを必ずしも有しているものではないが、本明細書中では、説明の便宜上、ガイドレールまたは可動式ガイドレールと呼ぶことにする。
【００１１】
ブラケット１１Ａ，１２Ａ，１１Ｂ，１２Ｂは、両側の柱２１と柱２２との間の梁２４の側面に取り付けられている。巻取シャフト１３Ａは、ブラケット１１Ａ，１２Ａ間に、巻取シャフト１３Ｂは、ブラケット１１Ｂ，１２Ｂ間に、それぞれ回転可能に取り付けられている。スラットカーテン１４Ａ，１４Ｂは、この巻取シャフト１３Ａ，１３Ｂにそれぞれ取り付けられており、巻き取り、繰り出しされるようになっている。なお、図１及び図２では、巻取シャフト１３Ａ，１３Ｂにスラットカーテン１４Ａ，１４Ｂが単純に巻き取られる場合を図示しているが、図３に示すように、中間ドラム軸５３を介して巻取シャフト５１がスラットカーテン１４Ａを巻き取るような構成になっていてもよい。開閉機５２は、一旦閉動作したスラットカーテン１４Ａを巻取シャフト５１を回転駆動させて、巻き取るものである。開閉機５２に代えて手動で巻き取る機構が設けられていてもよい。
【００１２】
可動式のガイドレール１５Ａ，１６Ａと、ガイドレール１７Ａ，１８Ａと、ガイドレール１５Ｂ，１６Ｂは同じ構成をしている。各ガイドレール１５Ａ，１６Ａ，１７Ａ，１８Ａ，１５Ｂ，１６Ｂはそれぞれ対向する端部が軸を中心に回転可能に連結されている。すなわち、ガイドレール１５Ａ，１６Ａ、ガイドレール１７Ａ，１８Ａ、ガイドレール１５Ｂ，１６Ｂは共にリンク構造によって連結されている。スラットカーテン１４Ａ及びスラットカーテン１４Ｂが巻取シャフト１３Ａ，１３Ｂに巻き取られ、建物の上部に収納されている場合にはガイドレール１５Ａ，１６Ａ、ガイドレール１７Ａ，１８Ａ、ガイドレール１５Ｂ，１６Ｂは、リンク部で折れ曲がり折り畳まれた状態となって建物上部に収納される。そして、スラットカーテン１４Ａ，１４Ｂが下降すると、それに連動してそれぞれ２本のガイドレール１５Ａ，１６Ａ、ガイドレール１７Ａ，１８Ａ、ガイドレール１５Ｂ，１６Ｂが成す交差角度が徐々に大きくなりながら下降していく。スラットカーテン１４Ａ，１４Ｂの下降が終了すると２本のガイドレール１５Ａ，１６Ａ、ガイドレール１７Ａ，１８Ａ、ガイドレール１５Ｂ，１６Ｂは図２に示すようにほぼ直線状になる。なお、図１及び図２には図示してないが、ガイドレール１５Ａ，１６Ａ、ガイドレール１７Ａ，１８Ａ、ガイドレール１５Ｂ，１６Ｂは、スラットカーテン１４Ａ，１４Ｂを開口面に垂直な方向のスラットカーテン１４Ａ，１４Ｂの一方面側と他方面側である前後から挟み込み、スラットカーテン１４Ａ，１４Ｂと干渉しないようにして通過させることができるような構造となっている。また、収納時にはガイドレール１５Ａ，１６Ａ、ガイドレール１７Ａ，１８Ａ、ガイドレール１５Ｂ，１６Ｂは、その側面が略密着して折り畳み込まれるので、図２に示す図面に向かって右側の防火シャッターカーテン装置の場合（すなわち、シャッターカーテン両側のガイドレールが共にリンク部を有する可動式ガイドレールになっている防火シャッターカーテン装置）は、全体的な横方向長さは２本分のガイドレールを収納することができる長さであればよい。また、図面に向かって左側の防火シャッターカーテン装置の場合（すなわち、シャッターカーテンの片側のみのガイドレールがリンク部を有する可動式ガイドレールになっており、他方側のガイドレールは通常の固定式ガイドレールになっている防火シャッターカーテン装置）は、全体的な横方向長さは１本分のガイドレールを収納することができる長さであればよい。従って、図面に向かって左側の防火シャッターカーテン装置のように、縦長の開口部に対して設置することが可能となり、開口部の形状に制約されることが少なくなる。
【００１３】
図１及び図２では、柱２１，２２、天井２５、スラットカーテン１４Ａ，１４Ｂ、スラブ２０によって防火区画が形成されるので、避難用の防火戸１９が防火シャッターカーテン装置のガイドレール１５Ａ，１６Ａに接して設けられている。防火戸１９は、柱２１とガイドレール１５Ａ，１６Ａと天井２５とによって形成される空間に設けられる。防火戸には、建物の構造に応じた常時閉鎖式と常時開放式とがある。この実施の形態に示されている防火戸１９は常時開放式のものであり、通常は柱２１などの側面に防火戸が収納されており、スラットカーテン１４Ａ，１４Ｂの閉動作及びガイドレール１５Ａ，１６Ａの繰り出し動作に連動して閉鎖されるように構成されている。常時開放式の防火戸の場合には、閉鎖した防火戸に別途設けられた潜り戸によって避難通路が確保されるようになっている。常時閉鎖式の防火戸の場合は、その防火区画から外側に、つまり避難方向に防火戸が開き、ドアチェック等により自動的に閉鎖するようになっている。従って、常時閉鎖式の防火戸の場合には、ガイドレール１５Ａ，１６Ａに代えてガイドレール１７Ｂのような固定式のものが設けられる。この実施の形態に使用される防火戸としては、建物の構造に応じて、常時閉鎖式でも常時開放式でもいずれの防火戸でもよい。また、防火シャッターカーテンがシート状の場合には、そこに避難通路用の開口（スリット等）が設けられることもある。
【００１４】
防火戸１９の側面にはガイドレール１５Ａ，１６Ａに当接するための当て板が設けられている。スラットカーテン１４Ａ，１４Ｂ及びガイドレール１５Ａ，１６Ａ，１７Ａ，１８Ａ，１５Ｂ，１６Ｂは、まぐさを介して上昇下降するようになっている。スラットカーテン１４Ａ，１４Ｂが巻取シャフト１３Ａ，１３Ｂにそれぞれ巻き取られて、ガイドレール１５Ａ，１６Ａ，１７Ａ，１８Ａ，１５Ｂ，１６Ｂが折り畳まれて天井に収納された状態が通常の状態である。この状態ではスラットカーテン１４Ａ，１４Ｂの最下部の座板がガイドレール１５Ａ，１７Ａ，１７Ｂの側面に略密着している。ガイドレール１６Ａ，１８Ａ，１６Ｂの上端部は、梁２４に設けられたブラケット１１Ａ，１２Ａ，１１Ｂに回転自在に連結されており、ガイドレール１５Ａ，１７Ａ，１５Ｂの下端部は、スラットカーテン１４Ａ，１４Ｂの先端部に連結されている。なお、ガイドレール１６Ａ，１８Ａ，１６Ｂの上端部は、建物の梁の側面に直接設けてもよいし、ブラケット以外の部材を介して取り付けてもよい。火災が発生すると、防火シャッターカーテン装置は、図示していない煙センサ（又は熱センサ）などの感知器からの信号に対応してスラットカーテン１４Ａ，１４Ｂ及びガイドレール１５Ａ，１６Ａ，１７Ａ，１８Ａ，１５Ｂ，１６Ｂを自動的に自重にて下降させ、柱２１，２２、天井２５、スラブ２０によって形成される開口部を閉鎖する。なお、ガイドレール１５Ａ，１６Ａ，１７Ａ，１８Ａ、１５Ｂ，１６Ｂの詳細構成及び防火シャッターカーテン装置の気密に関しては、先の出願（特願２００２−２０８１７６号）に記載されているので、ここでは説明を省略する。
【００１５】
図４及び図５は、可動式ガイドレールと防火戸の詳細構成を示す図である。図４は、可動式ガイドレールと防火戸が閉鎖した状態を示す図である。図５は、図４の可動式ガイドレールと防火戸との関係の詳細を示す図である。防火戸は、防火戸１９と潜り戸１９１とから構成され、通常は、図４（Ａ）の点線のように戸袋１９２に収納され、可動式ガイドレール１５Ａ，１６Ａの下降に連動して、防火戸１９と潜り戸１９１が戸袋から脱出し回転移動して、まぐさ上部の戸当たり１９６に当たって停止する。このとき、防火戸１９と可動式ガイドレール１５Ａ，１６Ａとの勘合部分には、図５に示すように、ガラスクロス材やクロロプレンゴム材等からなる気密材１９３，１９４が取り付けられている。これによって、防火戸１９と可動式ガイドレール１５Ａ，１６Ａとの間の隙間が塞がれ、煙の漏れを防止することができる。また、防火戸１９と柱２１との勘合部分にも、図５に示すように、ガラスクロス材やクロロプレンゴム材等からなる気密材１９５が取り付けられている。これによって、防火戸１９と柱２１との間の隙間が塞がれ、煙の漏れを防止することができる。
【００１６】
図６は、図４の防火戸とまぐさ上部の戸当たり及び床面との関係の詳細を示す図である。防火戸１９とまぐさ上部の戸当たり１９６との間には、気密用のゴム材１９８が取り付けられている。また、防火戸１９と床面６９との間には、同じくガラスクロス材やクロロプレンゴム材等からなる気密材１９９が取り付けられている。これによって、防火戸１９とまぐさ上部の戸当たり１９６及び床面６９との間の隙間が塞がれ、煙の漏れを防止することができる。なお、ゴム材に代えて気密材を設けてもよく、気密材に代えてゴム材を設けてもよい。
【００１７】
図７は、防火戸の詳細を示す図である。防火戸１９は、ドアノブ７０の扉開放操作（回転操作）に対応して解錠されるラッチ７１をその（上端）天端に有する。ラッチ７１は上枠となる戸当たり１９６に凹状のラッチ受け１９７を有する。ラッチ７１は伝達駆動機構７２を介してドアノブ７０に連結されている。このラッチ７１によって、防火戸１９はまぐさ上部の戸当たり１９６に固定され、風圧などを受けても開くことはない。なお、潜り戸１９１にもドアノブ１９０が存在しているが、この潜り戸１９１のラッチ（図示せず）は通常のドアと同様に側面に存在しており、このラッチによって防火戸１９に固定されるようになっている。
【００１８】
上述の実施の形態では、可動式ガイドレール１５Ａ，１６Ａによって案内されるスラットカーテン１４Ａの面と防火戸１９の面とか一直線状になる場合について説明したが、図８のように、両者の面が直角状になる場合も同様にして気密性能を保持しながら、防火戸１９をその上端（天端）に設けられたラッチ７１によって戸当たりに固定することができる。
【００１９】
なお、上述の実施の形態では、ラッチを防火戸の上端（天端）に設ける場合について説明したが、防火戸の下端だけに設けてもよいして、上端及び下端の両方に設けてもよい。また、上述の実施の形態では、可動する部材として、開口部上方である天井部などに収納してあり、スラットカーテンの繰り出し動作に連動して繰り出され、その開口部を区切り、繰り出し終了後はこのスラットカーテンを前後両面から挟むようにして着床し、スラットカーテンの前後左右への揺動を抑制する働きをする可動式ガイドレールを例に説明したが、観音開きの扉や防火戸でも同様に適用できることはいうまでもない。上述の実施の形態では、開口部を遮蔽する場合について説明したが、エレベータ等の避難通路以外の竪穴を有する場合の防火区画を形成する場合にも同様に適用できることは言うまでもない。また、上述の実施の形態では、防火戸が約９０°回転移動する場合について説明したが、開口部の形成される場所などによっては、これ以外の角度（例えば１８０°）で回転移動するような場合もある。さらに、防火戸は、上下垂直方向の回転軸を中心に回転するために、全体的に円形状の軌跡を描くように回転移動するが、これに限らず、回転軸が移動することによって、防火戸が全体的に楕円状の軌跡を描くように回転移動する場合もある。また、防火戸が可動式ガイドレールが下降する際に形成される二次元平面とは異なる方向から平行移動して来る場合もある。
【００２０】
【発明の効果】
以上説明したように本発明の開閉体装置によれば、開口部を閉鎖し、閉鎖後は風圧などによって容易に開かないようにラッチされ、固定されるという効果がある。
【図面の簡単な説明】
【図１】本発明に係る防火シャッターカーテン装置の概略を示す図であり、シャッターカーテンの閉動作途中の状態を示す正面図である。
【図２】図１の防火シャッターカーテン装置のシャッターカーテンが全閉された状態を示す図である。
【図３】図１のシャッター装置の天井等に収納された状態の一部分を左側から見た側面図である。
【図４】可動式ガイドレールと防火戸が閉鎖した状態を示す図である。
【図５】図４の可動式ガイドレールと防火戸との関係の詳細を示す図である。
【図６】図４の防火戸とまぐさ上部の戸当たり及び床面との関係の詳細を示す図である。
【図７】防火戸の詳細を示す図である。
【図８】可動式ガイドレールと防火戸とが直角に接する場合の詳細を示す図である。
【符号の説明】
１１，１２，１１Ａ，１１Ｂ，１２Ａ，１２Ｂ…ブラケット
１３Ａ，１３Ｂ，５１…巻取シャフト
１４，１４Ａ，１４Ｂ…スラットカーテン
１４Ｃ…座板
１５Ａ，１５Ｂ，１６Ａ，１６Ｂ，１７Ａ，１８Ａ…ガイドレール
１７Ｂ…固定式ガイドレール
１９…防火戸
１９１…潜り戸
１９３，１９４，１９５，１９９…気密材
１９６…戸当たり
１９７…ラッチ受け
１９８…ゴム材
２０…スラブ
２１，２２…柱
２３…上階スラブ
２４…梁
２５…天井
５１…巻取シャフト
５２…開閉機
５３…中間ドラム軸
７０，１９０…ドアノブ
７１…ラッチ
７２…伝達駆動機構
【図１】
2004293094.tif 000003
【図２】
2004293094.tif 000004
【図３】
2004293094.tif 000005
【図４】
2004293094.tif 000006
【図５】
2004293094.tif 000007
【図６】
2004293094.tif 000008
【図７】
2004293094.tif 000009
【図８】
2004293094.tif 000010